(57)【要約】【課題】最小限の電波センサでより広い範囲の近接センサをカバーできる弾球遊技機を提供する。【解決手段】遊技盤５上の遊技領域５ａ内の所定部位を通過した遊技球を検知可能な近接センサ３４等と、これら近接センサ３４等の誤作動を引き起こす電波を検知可能な電波センサ７２とを、遊技盤５上又は遊技盤５に装着された遊技部品上に配置した弾球遊技機で、電波センサ７２を、その電波検知面が遊技盤５の盤面に対して斜めになるように配置したものである。【選択図】図１１
2013146394.tif 000002
【特許請求の範囲】
【請求項１】
遊技盤上の遊技領域内の所定部位を通過した遊技球を検出可能な近接センサと、前記近接センサの誤作動を引き起こす電波を検知可能な電波センサとを、前記遊技盤上又は前記遊技盤に装着された遊技部品上に配置した弾球遊技機において、前記電波センサを、その電波検知面の向きが前記遊技盤の盤面に対して斜めになるように配置したことを特徴とする弾球遊技機。
【請求項２】
前記電波検知面は、前記電波センサの内部に配置されたアンテナと略平行な外表面上に設けられていることを特徴とする請求項１に記載の弾球遊技機。
【請求項３】
前記電波センサの近傍に磁気センサを配置したことを特徴とする請求項１又は２に記載の弾球遊技機。
【請求項４】
前記磁気センサと前記電波センサとを共通のセンサホルダを介して装着したことを特徴とする請求項３に記載の弾球遊技機。
【発明の詳細な説明】
【技術分野】
【０００１】
本発明は、近接センサ等を誤動作させて不正の利益を得る目的で照射される電波を検出するための電波センサを備えた弾球遊技機に関するものである。
【背景技術】
【０００２】
パチンコ機等の弾球遊技機では、遊技領域内に配置された入賞口やゲートに対応して、それら入賞口に入賞し又はゲートを通過した遊技球を検出する例えば貫通型の近接センサが設けられており、この近接センサが遊技球を検出することに基づいて、所定個数の賞球の払い出し、図柄抽選遊技の開始等、遊技者に有利な状態が発生するようになっている。この貫通型の近接センサは、正規の遊技球が１個通過可能な検出孔を備え、高周波発振回路を構成するリング状の検出コイルがその検出孔を取り囲むように内蔵されており、遊技球が検出孔を通過する際の検出コイルのインピーダンス変化により、非接触でその遊技球の通過を検出可能となっている。
【０００３】
ところで、近年ではこの近接センサに強力な電波を照射して誤作動させることによる不正行為が問題となっている。例えば「大玉ゴト」と呼ばれる不正行為の手口は次のようなものである。即ち、正規の遊技球よりも若干大きめの鉄球（以下、不正球という）を皿に投入して正規の遊技球と同様に発射して所定の入賞口に入賞させ、その入賞口に設けられた近接センサの検出孔に停留させてその近接センサを常時検出状態にする。そして、その不正球を停留させた近接センサに対して遊技機外から特定周波数の強力な電波を照射し、断続的に非検出状態となるようにその近接センサを誤作動させることにより、遊技球が連続的に入賞した場合と同様の検出状態を作り出すというものである。
【０００４】
この「大玉ゴト」のような不正行為に対する対策としては、近接センサに向けて照射された電波を検知可能な電波センサ（特許文献１参照）を遊技盤上等に配置して監視することが考えられる。
【先行技術文献】
【特許文献】
【０００５】
【特許文献１】特開２００８−３００５号公報
【発明の概要】
【発明が解決しようとする課題】
【０００６】
上記のように不正防止対策のために遊技盤上等に電波センサを配置する場合、監視対象とする全ての近接センサの電波受信範囲が、電波センサの電波検知範囲内に入るようにする必要がある。しかしながら、種々の制約により電波センサを最良の位置に配置できない場合があり、また電波センサの数を増やしたり電波検知領域の広い電波センサを用いるとそれだけコスト高となるため、電波検知範囲の狭い電波センサを効率よく配置することが求められている。
【０００７】
本発明は上記事情に鑑みてなされたものであり、最小限の電波センサでより広い範囲の近接センサをカバーできる弾球遊技機を提供することを目的とする。
【課題を解決するための手段】
【０００８】
本発明は、遊技盤５上の遊技領域５ａ内の所定部位を通過した遊技球を検知可能な近接センサ３４，３８，４５，５０，５８，６４ａ〜６４ｃと、前記近接センサ３４，３８，４５，５０，５８，６４ａ〜６４ｃの誤作動を引き起こす電波を検知可能な電波センサ７２とを、前記遊技盤５上又は前記遊技盤５に装着された遊技部品１９上に配置した弾球遊技機において、前記電波センサ７２を、その電波検知面８０ａ，８０ｂが前記遊技盤５の盤面に対して斜めになるように配置したものである。
【０００９】
また、前記電波検知面８０ａ，８０ｂは、前記電波センサ７２の内部に配置されたアンテナ７７と略平行な外表面上に設けられていてもよい。
【００１０】
また、前記電波センサ７２の近傍に磁気センサ７１を配置し、例えば前記磁気センサ７１と前記電波センサ７２とを共通のセンサホルダ７３を介して装着してもよい。
【発明の効果】
【００１１】
本発明によれば、近接センサが配置される遊技盤５上又はその近傍において、電波センサ７２の電波検知エリアがより広くなるため、領域最小限の電波センサ７２でより広い範囲の近接センサをカバーすることが可能となる。
【図面の簡単な説明】
【００１２】
【図１】本発明の一実施形態を示すパチンコ機の全体正面図である。
【図２】同パチンコ機における遊技盤の正面図である。
【図３】同パチンコ機における裏ケース及び不正防止センサユニットの要部正面図である。
【図４】同パチンコ機における右普通入賞手段及びその近傍の側面断面図である。
【図５】同パチンコ機における上下の始動入賞手段、大入賞手段及びその近傍の側面断面図である。
【図６】同パチンコ機における第１普通入賞手段及びその近傍の側面断面図である。
【図７】同パチンコ機における不正防止センサユニット及びその近傍の平面断面図である。
【図８】同パチンコ機における不正防止センサユニットの分解斜視図である。
【図９】同パチンコ機における電波センサの斜視図である。
【図１０】同パチンコ機における電波センサのＸ−Ｚ平面（図９）における所定レベルの電波に対する検知エリア分布を示す図である。
【図１１】電波センサを本実施形態のように遊技盤に対して斜めに配置した場合（ａ）と、遊技盤に対して真っ直ぐに配置した場合（ｂ）とにおける、電波センサの検知エリア分布と各近接センサの不正電波受信範囲との関係を示す図である。
【図１２】本発明の一実施形態を示すパチンコ機における制御系のブロック図である。
【図１３】本発明の変形例を示す遊技盤の要部正面図である。
【図１４】図１３のＡ−Ａ断面における電波センサの検知エリア分布と各近接センサの不正電波受信範囲との関係を示す図である。
【発明を実施するための形態】
【００１３】
以下、本発明の実施形態を図面に基づいて詳述する。図１〜図１２は本発明をパチンコ機に採用した一実施形態を例示している。図１において、遊技機本体１は、矩形状の外枠２と、この外枠２の左右一側、例えば左側のヒンジ３を介して縦軸心廻りに開閉及び着脱自在に枢着された内枠４とを備えている。
【００１４】
内枠４には、その上部側に図２に示す遊技盤５等が、下部側に発射手段（図示省略）等が夫々配置されており、その内枠４の前側には、遊技盤５の前側を覆うガラス扉６と、そのガラス扉６の下側で発射手段等の前側を覆う下部開閉扉７とがヒンジ３と同じ側のヒンジ８により開閉及び着脱自在に枢着されている。ガラス扉６には、遊技盤５側の遊技領域５ａに対応するガラス窓９が設けられ、また下部開閉扉７には、発射手段に供給するための遊技球を貯留する貯留皿１０、発射手段を作動させるための発射ハンドル１１等が設けられている。
【００１５】
遊技盤５の前面側には、図２に示すように、発射手段により発射された遊技球を案内するガイドレール１２が略環状に配置されており、そのガイドレール１２内の遊技領域５ａには、中央表示ユニット１３、ゲートユニット１４、始動入賞口ユニット１５、大入賞口ユニット１６、普通入賞口ユニット１７等の遊技部品が着脱自在に装着されている。また、遊技盤５の裏側には、図３等に示すように、液晶式その他の画像表示手段１８を保持する裏ケース１９、不正防止センサユニット２０等が装着されている。
【００１６】
ガイドレール１２は、例えば金属板により形成され、遊技盤５の前面側に立設されている。このガイドレール１２は、外レール１２ａとその内側の内レール１２ｂとが一部内外に重複するように配置されており、それら外レール１２ａと内レール１２ｂとの間に、発射手段により発射された遊技球を遊技領域５ａに案内する発射案内通路２１が形成されている。
【００１７】
中央表示ユニット１３は、遊技領域５ａの略中央に配置される画像表示手段１８の表示枠を構成するもので、遊技盤５に設けられた表示枠装着孔５ｂ（図４）に前側から着脱自在に装着され、ねじ止め等により遊技盤５に固定されており、その略中央の表示窓２２の他、普通図柄表示手段２３、特別図柄表示手段２４、普通保留個数表示手段２５、特別保留個数表示手段２６等の各種表示手段、ステージ２７、右普通入賞手段２８等が設けられている。
【００１８】
また裏ケース１９は、図３及び図７に示すように、前側が開放した略箱形に形成され且つその略中央に画像表示手段１８の表示画面１８ａに対応する矩形状の開口部２９が形成されており、中央表示ユニット１３等の後側を略覆うように遊技盤５の裏側に装着され、その前端側に一体に設けられた鍔状の固定部１９ａにおいてねじ止め等により遊技盤５に固定されている。画像表示手段１８は、演出図柄表示手段３０等を構成するもので、その表示画面１８ａを開口部２９に一致させた状態で裏ケース１９の背面側に着脱自在に固定されている。
【００１９】
ステージ２７は、中央表示ユニット１３上の表示窓２２の下側に横長状に配置されており、中央表示ユニット１３の左右一側、例えば左側に設けられたステージ入口３１に入球した遊技球を左右方向に遊ばせて中央又はその左右の落下部から落下させるようになっている。
【００２０】
右普通入賞手段２８は、例えば中央表示ユニット１３の右側下端部に配置されており、図２〜図４に示すように、遊技領域５ａ内で上向きに開口する右普通入賞口３２と、この右普通入賞口３２に入賞した遊技球を遊技盤５の後側まで案内する略前後方向の後方案内通路３３と、右普通入賞口３２に入賞した（所定部位を通過した）遊技球を検出する近接センサ３４とを備えている。
【００２１】
近接センサ３４は、例えばその一端側に正規の遊技球（直径１１ｍｍ）が通過可能な直径（例えば１２ｍｍ程度）に形成された略円形の検出孔３５を有し、高周波発振回路を構成するリング状の検出コイルがその検出孔３５を取り囲むように内蔵されており、遊技球が検出孔３５を通過する際の検出コイルのインピーダンス変化によって遊技球の通過を検出可能となっている。なお、後述する他の近接センサも全てこの近接センサ３４と同様の構成を有するものとする。
【００２２】
右普通入賞手段２８の近接センサ３４は、例えば後方案内通路３３の下流端側に配置されており、右普通入賞口３２に入賞した遊技球を遊技盤５の後側で検出するようになっている。近接センサ３４からの検出信号に基づいて遊技球が右普通入賞口３２に入賞したものと判定された場合には、１個の入賞につき所定個数の賞球が払い出される。
【００２３】
ゲートユニット１４は、普通図柄始動手段３６を構成するもので、例えば中央表示ユニット１３の左側で、遊技盤５に設けられたゲートユニット装着孔（図示省略）に対して例えば前側から着脱自在に装着され、ねじ止め等により遊技盤５に固定されている。普通図柄始動手段３６は、図２に示すように、遊技領域５ａ内で上下方向に配置された普通図柄始動ゲート３７と、この普通図柄始動ゲート３７を通過する遊技球を検出する近接センサ３８とで構成されている。この普通図柄始動ゲート３７は、普通図柄表示手段２３による図柄変動を開始させるためのもので、近接センサ３８からの検出信号に基づいて遊技球がこの普通図柄始動ゲート３７を通過したものと判定されることを条件に、普通図柄表示手段２３による普通図柄の変動表示が開始されるようになっている。
【００２４】
普通図柄表示手段２３は、例えば「○」「×」の２種類の普通図柄に対応する２個の発光体（例えばＬＥＤ）により構成されており、遊技球が普通図柄始動ゲート３７を通過することを条件にそれら２つの発光体が所定時間交互に点滅して、普通図柄始動ゲート３７の近接センサ３８による遊技球検出時に取得された当たり判定乱数値が予め定められた当たり判定値と一致する場合には当たり態様に対応する「○」側の発光体が発光した状態で、それ以外の場合には外れ態様に対応する「×」側の発光体が発光した状態で、点滅が終了するようになっている。
【００２５】
また、普通図柄表示手段２３の変動表示中、又は後述する普通利益状態中に遊技球が普通図柄始動ゲート３７を通過した場合には、その通過時に取得された当たり判定乱数値が予め定められた上限保留個数、例えば４個を限度として記憶されると共に、例えば上限保留個数と同数の発光体よりなる普通保留個数表示手段２５がその発光個数により当たり判定乱数値の記憶個数（以下、普通保留個数）を表示して、その時点での普通保留個数を遊技者に報知するようになっている。
【００２６】
始動入賞口ユニット１５は、例えば中央表示ユニット１３の下側で、遊技盤５に設けられた始動入賞口ユニット装着孔５ｃに対して前側から着脱自在に装着され、ねじ止め等により遊技盤５に固定されており、上部始動入賞手段４１と下部始動入賞手段４２とを上下に備えている。
【００２７】
上部始動入賞手段４１は、開閉手段等を有しない非作動式の入賞手段で、図２，図３及び図５に示すように、遊技領域５ａ内で上向きに開口する上部始動入賞口４３と、この上部始動入賞口４３に入賞した遊技球を遊技盤５の後側まで案内する略前後方向の後方案内通路４４と、上部始動入賞口４３に入賞した（所定部位を通過した）遊技球を検出する近接センサ４５とを備えている。近接センサ４５は、例えば後方案内通路４４の下流端側に配置されており、上部始動入賞口４３に入賞した遊技球を遊技盤５の後側で検出するようになっている。
【００２８】
また、下部始動入賞手段４２は、開閉可能な作動式の入賞手段で、図２，図３及び図５に示すように、上部始動入賞口４３の下側でその左右両側に向けて開口する一対の下部始動入賞口４６と、この下部始動入賞口４６を例えば遊技球の入賞が不可能な閉状態と入賞容易な開状態とに切り替え可能な左右一対の開閉翼４７と、この開閉翼４７を駆動する電磁ソレノイド等よりなる開閉駆動手段４８と、下部始動入賞口４６に入賞した遊技球を遊技盤５の後側まで案内する略前後方向の後方案内通路４９と、下部始動入賞口４６に入賞した遊技球を検出する近接センサ５０とを備えており、普通図柄表示手段２３の変動後の停止図柄が当たり態様となって普通利益状態が発生したときに、開閉駆動手段４８の駆動により開閉翼４７が所定時間開状態に変化するようになっている。近接センサ５０は、例えば後方案内通路４９の下流端側に配置されており、下部始動入賞口４６に入賞した遊技球を遊技盤５の後側で検出するようになっている。
【００２９】
これら上部始動入賞手段４１及び下部始動入賞手段４２は、いずれも特別図柄表示手段２４による図柄変動を開始させるためのもので、近接センサ４５，５０からの検出信号に基づいて遊技球が上下の始動入賞口４３，４６の何れかに入賞したものと判定されることを条件に特別図柄表示手段２４による特別図柄の変動表示が開始され、また１個の入賞につき所定個数の賞球が払い出されるようになっている。
【００３０】
特別図柄表示手段２４は、１個又は複数個、例えば１個の特別図柄を変動表示可能な７セグメント式等の表示手段により構成されており、遊技球が上部始動入賞口４３と下部始動入賞口４６との何れかに入賞することを条件に特別図柄を所定時間変動表示して、上部始動入賞口４３又は下部始動入賞口４６への入賞時に取得された大当たり判定乱数値が予め定められた大当たり判定値と一致する場合には所定の大当たり態様で、それ以外の場合には外れ態様で停止するようになっている。
【００３１】
特別図柄は、例えば数字図柄等ではなく、それ自体としては特別な意味を持たない線と点の組み合わせ等よりなる複数種類の図柄で構成され、それらの図柄のうちの１又は複数が大当たり態様、それ以外が外れ態様に設定されている。また、特別図柄の変動表示中、又は後述する特別利益状態中に上部始動入賞口４３又は下部始動入賞口４６に遊技球が入賞した場合には、その入賞時に取得された大当たり判定乱数値等が所定の上限保留個数、例えば４個を限度として記憶されると共に、例えば上限保留個数と同数の発光体よりなる特別保留個数表示手段２６がその発光個数により大当たり判定乱数値の記憶個数（以下、特別保留個数）を表示して、その時点での特別保留個数を遊技者に報知するようになっている。
【００３２】
特別図柄表示手段２４による特別図柄の変動表示中は、例えば演出図柄表示手段３０により演出図柄による図柄変動演出が行われる。演出図柄表示手段３０は、１個又は複数個、例えば左右方向に３個の演出図柄を各種の演出画像と共に変動表示可能に構成されており、特別図柄の変動開始と同時に所定の変動パターンに従って演出図柄の変動を開始すると共に、特別図柄の変動停止と同時に最終停止するように、演出図柄を左、右、中等の所定の順序で停止させるようになっている。なお、演出図柄表示手段３０は、特別図柄の変動内容とは直接関係のない演出を行う場合があってもよい。
【００３３】
大入賞口ユニット１６は、例えば始動入賞口ユニット１５の下側で、遊技盤５に設けられた大入賞口ユニット装着孔５ｄに対して前側から着脱自在に装着され、ねじ止め等により遊技盤５に固定されており、大入賞手段５１を備えている。
【００３４】
大入賞手段５１は、開閉可能な作動式の入賞手段で、図２，図３及び図５に示すように、例えば遊技盤５の前面側の位置で前向き開口状に形成された大入賞口５３と、この大入賞口５３を遊技球の入賞が不可能な閉状態と入賞容易な開状態とに切り替え可能な開閉板５４と、この開閉板５４を駆動する電磁ソレノイド等よりなる開閉駆動手段５５と、大入賞口５３に入賞した遊技球を受け入れて遊技盤５の後側の入賞球排出口５６から下側に落下させる入賞室５７と、大入賞口５３に入賞した遊技球を検出する近接センサ５８とを備えており、特別図柄表示手段２４の変動後の停止図柄が大当たり態様となって特別利益状態が発生したときに、開閉駆動手段５５の駆動により開閉板５４が所定のパターンに従って開状態に変化するようになっている。
【００３５】
近接センサ５８は、例えば入賞室５７の下流端側、即ち入賞球排出口５６に配置されており、大入賞口５３に入賞した遊技球を遊技盤５の後側で検出するようになっている。近接センサ５８からの検出信号に基づいて遊技球が大入賞口５３に入賞したものと判定された場合には、１個の入賞につき所定個数の賞球が払い出される。
【００３６】
普通入賞口ユニット１７は、例えば大入賞口ユニット１６の左側で内レール１２ｂの内側に沿って配置されており、その長手方向に沿って複数、例えば３つの第１〜第３普通入賞手段６１ａ〜６１ｃが上部側から下部側にかけて一列状に配置されている。この普通入賞口ユニット１７は、遊技盤５に設けられた普通入賞口ユニット装着孔５ｅに対して前側から着脱自在に装着され、ねじ止め等により遊技盤５に固定されている。
【００３７】
第１〜第３普通入賞手段６１ａ〜６１ｃは、図２，図３及び図６に示すように、遊技領域５ａ内で上向きに開口する第１〜第３普通入賞口６２ａ〜６２ｃと、第１〜第３普通入賞口６２ａ〜６２ｃに入賞した（所定部位を通過した）遊技球を検出する近接センサ６４ａ〜６４ｃとを備えている。近接センサ６４ａ〜６４ｃは、第１〜第３普通入賞口６２ａ〜６２ｃに入賞した遊技球を夫々遊技盤５の後側まで案内する後方案内通路６３の後端側に配置されており、第１〜第３普通入賞口６２ａ〜６２ｃに入賞した遊技球を遊技盤５の後側で検出するようになっている。
【００３８】
近接センサ６４ａ〜６４ｃからの検出信号に基づいて遊技球が第１〜第３普通入賞口６２ａ〜６２ｃに入賞したものと判定された場合には、１個の入賞につき、第１〜第３普通入賞口６２ａ〜６２ｃ毎に設定された所定個数の賞球が払い出される。なお、第１〜第３普通入賞口６２ａ〜６２ｃのうちの２以上が同じ賞球払い出し個数に設定されている場合には、それらの入賞口に入賞した遊技球を共通の近接センサで検出するようにしてもよい。
【００３９】
不正防止センサユニット２０は、図３，図７及び図８に示すように、磁気センサ７１と、電波センサ７２と、それら磁気センサ７１と電波センサ７２とを例えば遊技盤５の後側で保持するセンサホルダ７３とで構成されている。
【００４０】
磁気センサ７１は、ガラス窓９の前側に強力な磁石が押し当てられたような場合にその磁気を検知するためのもので、図８に示すように例えば長手方向の一端側に接続端子７４が設けられた略直方体状に形成されており、接続端子７４から所定の信号線を介して例えば主制御基板７５に磁気検知信号を出力するように構成されている。なお、この磁気センサ７１は、その長手方向前側の検知距離が長手方向に直交する側の検知距離よりも長くなるように、即ち先端面側の方が側面側よりも検知感度が高くなるように構成されている。この磁気センサ７１を遊技盤５上又はその近傍に配置することで、例えば「大玉ゴト」の際に磁石を用いて不正球を所定の入賞口に誘導しようとした場合には、その時点でその不正行為を発見することが可能である。
【００４１】
電波センサ７２は、近接センサの誤作動を引き起こすべく不正に照射された電波を検知するためのもので、図９に示すように、例えば扁平な略直方体状に形成されたケース体７６と、そのケース体７６内に収容され、アンテナ７７を含む電波検知回路が形成されたプリント基板７８と、例えばそのプリント基板７８上に装着され且つケース体７６の長手方向一端側に配置された接続端子７９とを備えており、接続端子７９から所定の信号線を介して例えば主制御基板７５に電波検知信号を出力するように構成されている。
【００４２】
この電波センサ７２では、例えばそのケース体７６の表裏両面が電波検知面８０ａ，８０ｂとなっており、プリント基板７８は、一対の電波検知面８０ａ，８０ｂの間にそれらと平行（又は略平行）に配置されると共に一面側にアンテナ７７が例えばリング状の銅箔パターンとして形成されている。即ち、電波検知面８０ａ，８０ｂは、電波センサ７２におけるアンテナ７７と平行な外表面上に設けられている。
【００４３】
図１０は、電波センサ７２のアンテナ７７の中心を原点とし、電波センサ７２の長手方向にＺ軸、電波検知面８０ａ，８０ｂに垂直な方向にＸ軸をとった場合（図９参照）の、Ｘ−Ｚ平面上における電波センサ７２の所定レベルの電波に対する検知エリア分布を示している。この図１０より明らかなように、電波センサ７２のＸ−Ｚ平面上での検知エリアの分布は、原点を中心として、各象限に向けて膨らむ４つの略対称な略バルーン状で、Ｘ軸上及びＺ軸上で原点側にくびれた形状となっている。
【００４４】
所定の近接センサを所定レベルの電波によって誤動作させることが可能な範囲（例えば図１１に示すように近接センサを中心とする所定半径の球状領域。以下、「不正電波受信範囲」という）が、電波センサ７２によるその所定レベルに対応する検知エリアに全て含まれていれば、その近接センサを誤作動させるべく不正に照射された電波については電波センサ７２によって確実に検知することができるため、その近接センサは電波照射による不正行為から保護された状態となる。
【００４５】
本実施形態では、遊技盤５上に配置されている全ての近接センサのうち、右普通入賞手段２８、上部始動入賞手段４１、第１〜第３普通入賞手段６１ａ〜６１ｃに対応する各近接センサ３４，４５，６４ａ〜６４ｃを、電波センサ７２によって最低限保護すべき対象としている（以下、これらの近接センサ３４，４５，６４ａ〜６４ｃを保護対象センサという）。普通図柄始動手段３６については賞球の払い出しを伴うものではなく、また下部始動入賞手段４２と大入賞手段５１については、遊技球が入賞不可能な閉状態中の入賞検出を無視するようにソフトウェア側での不正防止対応が可能であるため、本実施形態ではそれらに対応する近接センサ３８，５０，５８については電波センサ７２による必須の保護対象とはしていない。もちろん、それらの近接センサ３８，５０，５８についても可能な限り電波センサ７２の保護下に入るように電波センサ７２を配置することが望ましい。なお、本実施形態では、保護対象センサ３４，４５，６４ａ〜６４ｃは、何れも遊技盤５の裏側近傍に検出孔３５を上下方向に向けた状態で配置されている。
【００４６】
センサホルダ７３は、図７及び図８に示すように、磁気センサ７１を保持する磁気センサ保持部８１と、電波センサ７２を保持する電波センサ保持部８２とを備え、例えば普通入賞口ユニット１７の後側に対応して裏ケース（電波センサ７２を装着する遊技部品の一例）１９の前側にねじ止め等により着脱自在に固定されるベース体８３と、このベース体８３に着脱自在に装着される保持体８４とで構成されている。
【００４７】
保持体８４は、例えばその左右方向一端側にフック状の支点係合部８５が、他端側に係合爪８６が夫々一体に設けられており、支点係合部８５をベース体８３側の支点被係合部８７に前側から係合させた状態で、これを支点に後ろ向きに揺動させ、他端側の係合爪８６を、ベース体８３側の係止部８８に係合させることにより、ベース体８３の前側に着脱自在に固定されるようになっている。
【００４８】
磁気センサ保持部８１は、例えば保持体８４上に設けられ、前端部に磁気センサ７１の先端面を露出させるための前開口部８１ａが、後端部に、磁気センサ７１の接続端子７４に接続されるハーネスを引き出すための後開口部８１ｂが夫々設けられた前後方向の角筒状に形成されており、磁気センサ７１を、例えばその先端面が遊技盤５の背面に当接又は近接する位置で保持するようになっている。磁気センサ７１は、保持体８４をベース体８３から取り外した状態で、その保持体８４上の磁気センサ保持部８１に対してその後側の後開口部８１ｂを介して着脱可能である。
【００４９】
電波センサ保持部８２は、例えば保持体８４側の前保持部８２ａとベース体８３側の後保持部８２ｂとで構成され、例えば磁気センサ保持部８１の左右一方側に近接するように配置されており、保持体８４をベース体８３に装着する際に、前保持部８２ａと後保持部８２ｂとで夫々電波検知面８０ａ，８０ｂ側から挟み込むことにより電波センサ７２を保持するようになっている。
【００５０】
また、電波センサ保持部８２は、全ての保護対象センサ３４，４５，６４ａ〜６４ｃの不正電波受信範囲が電波センサ７２による検知エリアに全て含まれるように、電波センサ７２を以下のような位置及び姿勢で保持するようになっている。
【００５１】
まず、電波センサ保持部８２による電波センサ７２の保持位置については、上下方向、左右方向、前後方向の全てにおいて、保護対象センサ３４，４５，６４ａ〜６４ｃの中間的な位置とすることが望ましいが、種々の制約によってそのような理想的な位置に配置できない場合にはなるべくそれに近い位置に配置するべきである。本実施形態では、電波センサ７２の上下方向位置は、保護対象センサ３４，４５，６４ａ〜６４ｃのうちの最も上側の保護対象センサ６４ａと最も下側の保護対象センサ６４ｃとの中間に近い位置であり、電波センサ７２の前後方向位置は、全ての保護対象センサ３４，４５，６４ａ〜６４ｃと略同じ遊技盤５の裏側近傍の位置となっているが、電波センサ７２の左右方向位置については、図示しない他の部品との干渉を避けるための配置上の制約等により、最も左側の保護対象センサ６４ａと最も右側の保護対象センサ３４との中間位置よりも大きく左に偏位した位置、即ち保護対象センサ６４ｂの近傍となっている。
【００５２】
続いて、電波センサ保持部８２による電波センサ７２の保持姿勢について説明する。上述したように、電波センサ７２のアンテナ７７の中心を原点とし、電波センサ７２の長手方向にＺ軸、電波検知面８０ａ，８０ｂに垂直な方向にＸ軸をとった場合の、Ｘ−Ｚ平面上における電波センサ７２の検知エリア分布は、図１０に示すように、原点を中心として、各象限に向けて膨らむ４つの略対称な略バルーン状で、Ｘ軸上及びＺ軸上で原点側にくびれた形状となっている。この検知エリア分布を参照すると、Ｘ−Ｚ平面上で、原点を中心として最も検知エリアの幅が大きくなる方向は、Ｘ軸とＺ軸との略中間の方向、即ちＸ軸又はＺ軸に対して±４５度前後傾いた方向（以下、「最大検出幅方向」という）である。また本実施形態では、上下方向、左右方向、前後方向のうち、電波センサ７２と保護対象センサ３４，４５，６４ａ〜６４ｃとの最大距離が最も大きいのは左右方向である。
【００５３】
従って本実施形態では、電波センサ７２の最大検出幅方向が左右方向と略一致するように、即ち、図７及び図１１（ａ）に示すように電波センサ７２の電波検知面８０ａ，８０ｂの向きが遊技盤５の盤面に対して水平面内で略４５度傾くように、電波センサ保持部８２による電波センサ７２の保持姿勢が設定されている。これにより、例えば電波検知面８０ａ，８０ｂの向きが遊技盤５の盤面と平行となるように電波センサ７２を配置する場合（図１１（ｂ））と比べて、同じ電波センサ７２を用いて遊技盤５上のより広い範囲をカバーすることができる。
【００５４】
本実施形態の場合、電波検知面８０ａ，８０ｂの向きが遊技盤５の盤面と平行になるように電波センサ７２を配置したと仮定すると、図１１（ｂ）に示すように近接センサ３４の不正電波受信範囲の一部（斜線部）が電波センサ７２の検知エリアから外れてしまうが、電波検知面８０ａ，８０ｂの向きが遊技盤５の盤面に対して水平面内で略４５度傾くように電波センサ７２を配置していることにより、図１１（ａ）に示すように近接センサ３４を含めて全ての保護対象センサ３４，４５，６４ａ〜６４ｃの不正電波受信範囲が電波センサ７２の検知エリア内に収まっている。
【００５５】
続いて、本パチンコ機の制御系のうち、大玉ゴト等による不正入賞を監視するための構成について説明する。本実施形態の主制御基板７５には、図１２に示すように、各入賞手段２８，４１，４２，５１，６１ａ〜６１ｃへの遊技球の入賞に関する処理を行う入賞処理手段９１と、普通図柄表示手段２３、特別図柄表示手段２４の図柄変動に関する処理を行う図柄処理手段９２と、下部始動入賞手段４２の開閉翼４７、大入賞手段５１の開閉板５４等の動作に関する処理を行う役物処理手段９３とが設けられている。また、例えば入賞処理手段９１には、磁気センサ７１、電波センサ７２からの検知信号に基づいて不正行為の蓋然性の高い異常を監視する異常監視手段９４が設けられている。
【００５６】
入賞処理手段９１は、各入賞手段２８，４１，４２，５１，６１ａ〜６１ｃに対応する近接センサ３４，４５，５０，５８，６４ａ〜６４ｃからの検出信号に基づいて、それら入賞手段２８，４１，４２，５１，６１ａ〜６１ｃの入賞口３２，４３，４６，５３，６２ａ〜６２ｃへの遊技球の入賞の有無を判定し、入賞があったと判定された場合には賞球の払い出し等の入賞処理を実行するようになっている。なお、この入賞処理においては、作動式の入賞手段である下部始動入賞手段４２と大入賞手段５１とに関しては、遊技球が入賞不可能な閉状態中については近接センサ５０，５８による入賞検出を無視するようになっている。これにより、不正な電波照射によって近接センサ５８等が誤作動し、大入賞手段５１等が開放していないにも拘わらず入賞検出信号が発生した場合には、その入賞検出信号は無視され、不正行為者に賞球が払い出されることはない。
【００５７】
図柄処理手段９２は、普通図柄始動手段３６の近接センサ３８が遊技球を検出することに基づいて、普通図柄表示手段２３による普通図柄の変動処理を実行し、また上部始動入賞手段４１の近接センサ４５又は下部始動入賞口４６の近接センサ５０が遊技球を検出することに基づいて、特別図柄表示手段２４による特別図柄の変動処理を行うようになっている。
【００５８】
役物処理手段９３は、普通図柄表示手段２３の変動後の停止図柄が当たり態様となって普通利益状態が発生したときに、下部始動入賞手段４２を所定のパターンで開放させ、また特別図柄表示手段２４の変動後の停止図柄が大当たり態様となって特別利益状態が発生したときに、大入賞手段５１を所定のパターンで開放させるようになっている。
【００５９】
異常監視手段９４は、磁気センサ７１から磁気検知信号を受けた場合、及び電波センサ７２から電波検知信号を受けた場合に、所定のエラー処理、例えば画像表示手段１８へのエラー表示、エラー警告音の出力、外部出力端子からのエラー信号出力等によるエラー報知、払い出し処理の停止等の処理を実行するようになっている。
【００６０】
このような構成により、例えばいわゆる大玉ゴトが実行された場合、まず磁石を用いて不正球を右普通入賞手段２８等の入賞口に誘導しようとすれば、その時点で磁気センサ７１からの磁気検知信号を受けた異常監視手段９４によってエラー処理が行われ、被害を未然に防止できる。
【００６１】
また、磁石による不正球の誘導が行われなかった場合でも、右普通入賞手段２８等の近接センサに不正球が停留させられ、その近接スイッチに対して強力な電波が照射された時点で、その電波は電波センサ７２によって検知され、電波センサ７２からの電波検知信号を受けた異常監視手段９４によってエラー処理が実行されるため、大玉ゴトによる被害を未然に防止できる。
【００６２】
以上、本発明の実施形態について詳述したが、本発明はこれらの実施形態に限定されるものではなく、本発明の趣旨を逸脱しない範囲で種々の変更が可能である。例えば、図９に示すように電波センサ７２の長手方向にＺ軸、電波検知面８０ａ，８０ｂの方向にＸ軸、それらに直交する方向にＹ軸をとった場合、実施形態では、Ｘ−Ｚ平面が略水平となるように電波センサ７２を配置した例を示したが、Ｘ軸が遊技盤５の盤面に対して平行でも垂直でもない斜め所定方向を向いていれば、Ｙ軸及びＺ軸の向きは任意である。
【００６３】
従って、例えば図１３，図１４に示すように、保護対象センサ（図１３，図１４の例では近接センサ３４，６４ａ〜６４ｃとする）が斜め方向に略一列状に配置されているような場合には、電波センサ７２のＸ軸を遊技盤５に対して斜めに向けると共に、例えばＸ−Ｚ面が保護対象センサ３４，６４ａ〜６４ｃの並び方向と略平行となるように電波センサ７２を配置してもよい。
【００６４】
実施形態では、電波センサ７２を一つのみ搭載した例を示したが、電波センサ７２を複数搭載してもよい。また、磁気センサ７１の数も任意である。電波センサ７２は、例えば近接センサが装着されている入賞口ユニット上に装着してもよいし、近接センサが装着されていない中央表示ユニット等に装着してもよい。また、電波センサ７２は、近接センサの配置に応じてその配置位置を設定すべきものであるため、遊技盤５上に配置することが望ましいが、例えば遊技盤５以外の例えば内枠４上に配置することも可能である。
【００６５】
実施形態では表裏両面側に指向性を有する電波センサの例を示したが、一面側にのみ指向性を有する電波センサについても、遊技盤５に対して斜めに配置することで遊技盤５上における検知領域が広くなるという点は同じである。
【００６６】
なお、実施形態ではパチンコ遊技機について例示したが、アレンジボール機、雀球遊技機等の他の弾球遊技機においても同様に実施可能であることはいうまでもない。
【符号の説明】
【００６７】
５    遊技盤
５ａ  遊技領域
１９    裏ケース（遊技部品）
３４    近接センサ
３８    近接センサ
４５    近接センサ
５０    近接センサ
５８    近接センサ
６４ａ〜６４ｃ  近接センサ
７１    磁気センサ
７２    電波センサ
７３    センサホルダ
７７    アンテナ
８０ａ  電波検知面
８０ｂ  電波検知面
【図１】
2013146394.tif 000003
【図２】
2013146394.tif 000004
【図３】
2013146394.tif 000005
【図４】
2013146394.tif 000006
【図５】
2013146394.tif 000007
【図６】
2013146394.tif 000008
【図７】
2013146394.tif 000009
【図８】
2013146394.tif 000010
【図９】
2013146394.tif 000011
【図１０】
2013146394.tif 000012
【図１１】
2013146394.tif 000013
【図１２】
2013146394.tif 000014
【図１３】
2013146394.tif 000015
【図１４】
2013146394.tif 000016